(57)【要約】【課題】ねじ等でアンテナを液晶表示ユニットに固定する構造ではなく、ユニットの寸法や形状が変化する場合であっても、同一の形状及び寸法のものを適用可能にし、アンテナ自体の放射特性、利得特性を良好なものとする。【解決手段】立上り条（６ｂ）を有する筐体（５）と、側面に導体部を有すると共に、側面が立上り条に隣接するように筐体に固定される液晶表示ユニット（４）と、アンテナ（７）とを具備し、該アンテナは、立上り条を跨ぐようにして筐体に支持される支持部（１０）と、支持部よりユニットの側面へ延びてユニットの側面に接触するグランド接触ばね部（１４）と、グランド接触ばね部に関して前記支部の反対側へ該支持部から延びているアンテナエレメント部（２０）とからなり、支持部、グランド接触ばね部及びアンテナエレメント部が金属板で一体的に形成される。【選択図】図３
2008072750.tif 000002
【特許請求の範囲】
【請求項１】
アンテナエンメント部と、支持部と、グランド接触ばね部とが金属板により一体的に形成されているアンテナであって、前記支持部に対して前記アンテナエレメント部は一方の側にあり、前記グランド接触ばね部は他方の側に前記支持部から弾性変形可能に延びていることを特徴とするアンテナ。
【請求項２】
前記支持部は、長手方向に延びた形状を有し、前記グランド接触ばね部は該支持部の長手方向に対して所定角度外側へ傾斜していることを特徴とする請求項１に記載のアンテナ。
【請求項３】
前記支持部は、長手方向に延びた立上り条を跨ぐようにして該立上り条に取付・固定可能な形状を有し、両端部において、該立上り条の一方の面から他方の面へＵ字形に湾曲した部分を有し、該アンテナを前記立上り条に搭載した時に、該アンテナ支持部の長手方向の両端のＵ字形湾曲部が前記立上り条の長手方向の両端部にはめ込まれて固定される構造を有することを特徴とする請求項１に記載のアンテナ。
【請求項４】
前記金属板は、半田の付着性が良好で且つ表面処理のないばね性の板金であることを特徴とする請求項２に記載のアンテナ。
【請求項５】
前記金属板の材料は、洋白であることを特徴とする請求項１に記載のアンテナ。
【発明の詳細な説明】
【技術分野】
【０００１】
本発明は装置搭載用アンテナ、特に、アンテナの装置への取付構造を改善した装置搭載用アンテナに関する。
【０００２】
情報通信装置はその小型化・軽量化が要求されているが、特にアンテナを搭載したモバイル用機器、例えば携帯型パーソナルコンピュータ、ＰＨＳ（パーソナルハンディフォンシステム）電話機、携帯電話機などの移動対通信機等の通信装置においては、アンテナを装置内の回路基板上の電子回路に接続させる必要がある。
【背景技術】
【０００３】
従来、アンテナを内蔵する各種の装置において、そのアンテナ自体の放射特性では、装置の全周囲に対し、良好な利得特性を確保することが困難であるため、装置の電磁界から見て露出した金属にアンテナ電流を流して電磁界を発生することが一般的であった。ただし、アンテナのエレメント部とアンテナエレメント部に近接する導体との位置関係が変化すると特性が変化するため、従来の方法では、アンテナの上記導体接続部（ねじ止め）の構造寸法を変化させるか、アンテナとは別個の接触部を設けることが必要であった。
【０００４】
特開２００１−４４７２６号公報（特許文献１）では、筐体が上ケースと下ケースに２つに分割され、これらのケースの接合部に、アンテナが取り付けられるアンテナの固定構造において、分割された一方のケースにアンテナ基端部が嵌合し得るアンテナ保持座が設けられ、分割された他方のケースに突き当てリブを設け、分割されたケースを合体することで前記アンテナ保持座と前記突き当てリブとの間にアンテナ基端部を狭持する。これにより、ネジを使わずにアンテナを筐体に固定することができる。
【０００５】
特開２０００−２６１２２０号公報（特許文献２）では、アンテナ接続端子の変形を防止し、アンテナ接続端子の先端部を常に回路基板の所定回路に良好に接触させることができるようにするため、アンテナ部に後端が固定されたバネ性を有するアンテナ接続端子と、このアンテナ接続端子の先端部上に重なり、その先端部が接触する回路基板と、前記アンテナ接続端子下面のケーブル内面に形成され、先端が前記アンテナ接続端子の下面に所定間隙を介して対向する突起とを具備する。これにより、アンテナ接続端子及び回路基板の撓みを少ない状態に抑える。
【０００６】
【特許文献１】特開２００１−４４７２６号公報
【特許文献２】特開２０００−２６１２２０号公報
【発明の開示】
【発明が解決しようとする課題】
【０００７】
上述のように、アンテナを内蔵する装置において、従来は、アンテナ自体の放射特性や利得特性が、装置の導体部とアンテナ自体の位置関係、その他の影響で特性が変化するため、アンテナの導体接続部にねじ止め等により、各種の装置毎に対応する位置に搭載するようにするか、或いは、装置ごとに、特に装置の導体接続部の形状、寸法等に応じて、アンテナ状態の形状や寸法を変化させる等のことが必要であった。
【０００８】
したがって、本発明の第１の課題は、装置に搭載するアンテナにおいて、各種の装置、特に導体接続部の形状、寸法等の異なる各種の装置に対して適用可能なアンテナを提案することである。
【０００９】
本発明の第２の課題は、導体接続部が箱型、即ち導体接続部がＸ、Ｙ，Ｚの方向の部分に近似した位置領域を占めて、可能な限り、アンテナの放射特性及び利得特性を向上させることの可能なアンテナを提案することである。
【課題を解決するための手段】
【００１０】
上記の課題を達成するために、本発明によれば、アンテナエンメント部と、支持部と、グランド接触ばね部とが金属板により一体的に形成されているアンテナであって、前記支持部に対して前記アンテナエレメント部は一方の側にあり、前記グランド接触ばね部は他方の側に前記支持部から弾性変形可能に延びていることを特徴とするアンテナが提供される。
【００１１】
前記支持部は、長手方向に延びた形状を有し、前記グランド接触ばね部は該支持部の長手方向に対して所定角度外側へ傾斜していることを特徴とする。
【００１２】
前記支持部は、長手方向に延びた立上り条を跨ぐようにして該立上り条に取付・固定可能な形状を有し、両端部において、該立上り条の一方の面から他方の面へＵ字形に湾曲した部分を有し、該アンテナを前記立上り条に搭載した時に、該アンテナ支持部の長手方向の両端のＵ字形湾曲部が前記立上り条の長手方向の両端部にはめ込まれて固定される構造を有することを特徴とする。
【００１３】
前記金属板は、半田の付着性が良好で且つ表面処理のないばね性の板金であることを特徴とする。また、前記金属板の材料は、洋白であることを特徴とする。
【発明の効果】
【００１４】
以上説明したように、本発明によれば、携帯型パーソナルコンピュータ等の装置に搭載するアンテナにおいて、液晶表示ユニット等の表示部に使用されている導体を利用して、ばね性を有する材料で一体的に形成した接触ばねによってアンテナの電流を流すことができるため、アンテナ自体の放射特性を改善することができ、かつ良好な利得特性を確保することができる。
【００１５】
また、本発明のアンテナによると、ねじ等でアンテナを液晶表示ユニットに固定する構造ではなく、装置の筐体の立上り条に跨がせる形状にてアンテナを装置に取付けるため、装置の寸法、特にアンテナに接触する液晶表示ユニットの導体部の寸法や形状が変化する場合であっても、同一の形状及び寸法もったアンテナを適用することができる。
【００１６】
また、本発明のアンテナによると、アンテナを構成している金属板の素材がたとえ弾性率の比較的小さなものであっても、弾性変形した状態で機器ユニットの導体部に接触されているので、充分な接触面積を確保することができ、アンテナの放射特性及び利得特性を向上することができる。
【発明を実施するための最良の形態】
【００１７】
以下、添付図面を参照して本発明の実施の形態について詳細に説明する。
【００１８】
図１及び図２は本発明に係るアンテナを備えた電子装置、例えば一例として、携帯型コンピュータを示す外観図であり、図１は装置を閉じた状態、図２は装置を開いた状態をそれぞれ示す。
【００１９】
携帯型コンピュータはキーボード部やポインター等を備える本体１と、液晶表示ユニット４を具備する蓋部２からなり、蓋部２はヒンジ３により本体１に対して回転可能で本体１に対して開閉できるようになっている。
【００２０】
即ち、蓋部２はこの携帯型コンピュータの使用時には開かれ、非使用時は閉じることが出来る。蓋部２を閉じた時は、本体１の側に設けたロック部材１ａに係合して蓋部２が本体１にロックされ、蓋部２を開く時は、ロック部材１ａを解除することにより蓋部２を本体１に対して開くことができる。
【００２１】
蓋部２を構成している筐体は、バックカバー５とフロントカバー６とからなり、液晶表示（ＬＣＤ）ユニット４は、バックカバー５と枠状のフロントカバー６との間に挟まれるように固定されている。
【００２２】
液晶表示ユニット４は全体として矩形の平板状で、表面側の大部分の領域を占める液晶表示面４ａの周囲が矩形枠状のフロントカバー６で囲まれ、裏面側に配置されるバックカバー６は液晶表示ユニット４の裏面の全域を覆っている。
【００２３】
このように、蓋部２は、バックカバー５、液晶表示ユニット４およびフロントカバー６により構成されているが、本明細書では、図１及び図２において、蓋部２が本体１に対して綴じられている場合も、開かれている使用状態においても、ヒンジ３の側を後部、その反対側を前部と称する。また、液晶表示ユニット４はバックカバー５の側を裏面、フロントカバー６の側を表面と称することとする。また、液晶表示ユニット４の平面方向に関して、左右方向をＸ方向、前後方向をＹ方向、また液晶表示ユニット４の厚さ方向をＺ方向とする。
【００２４】
図３（ａ）は、図１において蓋部２のＡで示した部分を示す斜視図であり、本発明の第１のアンテナを取付ける個所が見えるように、カバーの部分を破断して示したものであり、図３（ｂ）は同図の線Ｃ−Ｃにおける断面図である。また、図４（ａ）も同様に、図１において蓋部２のＢで示した部分を示す斜視図であり、本発明の第２のアンテナを取付ける個所が見えるように、カバーの部分を破断して示したものであり、図４（ｂ）は同図の線Ｄ−Ｄにおける断面図である。
【００２５】
バックカバー５の中央の大部分の領域を占める矩形板状の本体部分５ａは、例えば、マグネシウム合金等の材料を用いてダイキャスト等の成形品として形成される。バックカバー５の周囲部、特にアンテナ取付部を覆っている部分、即ちアンテナカバー５ｂは、適当な樹脂、例えば、ポリカーボネイト等により成形されたものである。また、矩形枠状のフロントカバー６は適当な樹脂、例えばＡＢＳ樹脂等の材料により一体成形されたものである。
【００２６】
液晶表示ユニット５はバックカバー５とフロントカバー６との間に挟まれて保持される。即ち、バックカバー５の内側の周囲には液晶表示ユニット４の裏面と接触する複数のリブ５ｃが配置されており、フロントカバー６は液晶表示ユニットの表面周囲部に接触する内側枠部６１及び液晶表示ユニット４の前後左右の側壁に隣接する複数の立上り条６ｂを有する。したがって、液晶表示ユニット４は、当該液晶表示ユニット４を挟んで、フロントカバー６をバックカバー５にはめ込むことにより、固定される。フロントカバー６は液晶表示ユニットの表面周囲部に接触する内側枠部６１及び液晶表示ユニット４の前後左右の側壁に隣接する立上り条６ｂを有する。
【００２７】
この携帯型パーソナルコンピュータ１は、本発明の係るアンテナを左右１対有し、図３（ａ）及び図３（ｂ）に示す右側のアンテナ７は、フロントカバー６の前側に設けられた１対の立上り条６ｂのうちの右側のものに保持され、同様に、図４（ａ）及び図４（ｂ）に示す左側のアンテナ７は、フロントカバー６の前部左側の立上り条６ｂに保持される。このように、フロントカバー６の前部には、それぞれ所定の長さを有する左右１対の立上り条６ｂが同一直線上に配置されていて、これらの立上り条６ｂにて、液晶表示ユニット４のＹ方向の前部位置を規制している共に、アンテナ７を保持する機能を有し、更に、後述のように当該アンテナ７を液晶表示ユニットの導通部からなる周囲の側枠の前部端面に接触させてグランドに導通させる作用をする。
【００２８】
左右１対の立上り条６ｂは、両者とも、同一の長さを有し、所定の高さ（液晶表示ユニット４のＺ方向の厚さに概略相当する）、及び所定の厚みを有する。
【００２９】
図５（ａ）は本発明のアンテナ７の斜視図で、前側、即ちアンテナグランド部の側から見たもの、図５（ｂ）は、同図であって、後側、即ち液晶表示ユニット４のあるグランド接触ばねの側から見たものである。
【００３０】
アンテナ７は、半田付着性が良好で且つ表面処理のないばね性金属材料の板金で一体的に形成されるのが好適である。最も好適な金属材料としては、洋白等がある。この洋白は、銅（Ｃｕ）とニッケル（Ｎｉ）、亜鉛（Ｚｎ）の合金であり、ニッケルの多い洋白は、温度変化に対し電気抵抗値が大きく変化しない性質があり、一般に耐熱用電気接触片や電気調節用抵抗材料として用いられているので、本発明のアンテナとして使用するのが好適である。また、洋白は、銅（Ｃｕ）、亜鉛（Ｚｎ）、ニッケル（Ｎｉ）と少量の鉛（Ｐｂ）、鉄（Ｆｅ）、マンガン（Ｍｎ）が含有されており、光沢が美しく、展延性、耐疲労性、耐蝕性がよい、絞り性に富む材料であり、この点からも本発明のアンテナの材料として使用するのが好適である。
【００３１】
図６は本発明のアンテナ７及び液晶表示ユニット４を示すもの（図８の背面図）で、アンテナ７は、液晶表示ユニット４の側から見たものである。アンテナ７を立上り条６ｂのはめ込み所定位置に設置した時、アンテナ７のグランド接触ばねが液晶表示ユニット４の前部端面に接触する。即ち、液晶表示ユニット４を矢印Ｅの方向へ平行移動させた時、このような状態となる。図７はアンテナ７を図６の矢印Ｅからみた図、及びその左右側面図である。図８は図５（ａ）の矢印Ｇの方向から見た場合のアンテナ７の正面図、図９はアンテナ７の底面図である。
【００３２】
本発明のアンテナ７は、立上り条６ｂの前壁面の主要部分に接触する中央の保持板部１０と、この保持板部１の両端から立上り条６ｂの上部を跨いで立上り条６ｂの後壁面に接触する両端保持板部１１、１２と、これらの両端保持板部１１、１２の端部にて、立上り条６ｂの両端をＵ字形に湾曲して先端部が立上り条６ｂの前壁に接触する両端Ｕ字形固定部１１ａ、１１ｂとを有する。従って、これらの中央保持板部１０、両端保持板部１１、１２、及び両端のＵ字形湾曲部１１ａ、１２ａ、及び次に説明する、裏面側保持部１３でアンテナ７の支持部を構成している。
【００３３】
また、本発明のアンテナ７は中央の保持板部１０から立上り条６の上部を跨いで裏面側に接触している裏面側保持板部１３があり、この裏面側保持板部１３からスリット１５を隔ててグランド接触ばね１４が形成されている（図６）。グランド接触ばね１４はその基部から所定角度だけ液晶表示ユニット４の側へ傾斜しており、アンテナ７を立上り条６ａに装着した時、前述のように、液晶表示ユニットの前壁に接触され、グランドへの導通が行われる。
【００３４】
アンテナ７の中央保持板部１０下側から前方に折れ曲がって部分にはアンテナエレメント２０が形成されている。このアンテナ７はいわゆるデュアルタイプアンテナであって、水平方向に右側に延びた２本のアンテナエレメント部２１、２２と、更に９０度垂直方向に折れ曲がりかつ水平方向のアンテナエレメント部とは反対の方向に延びた即ち方向アンテナエレメント部２３がある。例えば、水平方向のアンテナエレメント部２１、２２は５．２ＧＨｚ（４．９〜５．８ＧＨｚ）、垂直方向のアンテナエレメント部２３は２．４ＧＨｚである。アンテナ７のエレメント部２０はバックカバー５のアンテナカバー５ｂの内部の領域にあるので、外力等に影響を受けず、安定した放射特性を得ることができる。
【００３５】
図７の部位２４はアンテナのフィーダ線８（図４（ａ）及び図４（ｂ））を接続するフィーダポイントを示す。また、フック２５はフィーダ線８を案内するためのものである。
【００３６】
このように、本発明のアンテナ７は、１枚の洋白等の金属板で一体的に板金加工されて成形されたものである。左右１対のアンテナ７、７は、左右対称の形状を有する。両者を識別するために、例えば図５（ｂ）の符号２６で示すように、一方のアンテナ７にＬ（左）のマーク、他方のアンテナ７にＲ（右）のマークが付される。２又はそれ以上の形状の異なるアンテナを使用する場合においても、各アンテナを設置する場所が特定できるようなマークであれば、種々の適用に応じたマークを採用することができることは勿論である。
【００３７】
なお、この実施形態の左右１対のアンテナ７、７は、アンテナエレメントやグランド接触ばねの延びている方向がそれぞれ対称な関係になっている。
【００３８】
上述の形状を有する左右１対のアンテナ７、７は立上り条６ｂにはめ込んで、液晶表示ユニット４をバックカバー５とフロントカバー６との間で挟み込んで固定する際に、その上下方向、左右方向、ならびに前後方向が位置決めされる。
【００３９】
図１１は単一のアンテナ７を使用した場合のアンテナの配線を示し、図１２は上記の実施形態のように、左右１対のアンテナを使用した場合の配線図である。これらの図において、７はアンテナ、７Ｌ，７Ｒは左右それぞれのアンテナ、２５はフック２５はフィーダ線用のフック部、３０は綿テープ部、３２は収縮チューブ、３４は装置本体側に接続・固定される接続端部である。
【００４０】
左右のアンテナ７、７から延びた１対のフィーダ線は、綿テープ３０により一緒にされて、液晶表示ユニット４とバックカバー５との間の隙間等を案内され、端部３４にて装置本体側の図示しない回路に接続される。
【００４１】
以上添付図面を参照して本発明の実施形態について詳細に説明したが、本発明は上記の実施形態のみに限定されるものではなく、本発明の精神ないし範囲内において種々の形態、変形、修正等が可能である。
（付記）
（付記１）  アンテナエンメント部と、支持部と、グランド接触ばね部とが金属板により一体的に形成されているアンテナであって、前記支持部に対して前記アンテナエレメント部は一方の側にあり、前記グランド接触ばね部は他方の側に前記支持部から弾性変形可能に延びていることを特徴とするアンテナ。（１）
（付記２）  前記支持部は、長手方向に延びた形状を有し、前記グランド接触ばね部は該支持部の長手方向に対して所定角度外側へ傾斜していることを特徴とする付記１に記載のアンテナ。（２）
（付記３）  前記支持部は、長手方向に延びた立上り条を跨ぐようにして該立上り条に取付・固定可能な形状を有し、両端部において、該立上り条の一方の面から他方の面へＵ字形に湾曲した部分を有し、該アンテナを前記立上り条に搭載した時に、該アンテナ支持部の長手方向の両端のＵ字形湾曲部が前記立上り条の長手方向の両端部にはめ込まれて固定される構造を有することを特徴とする付記１に記載のアンテナ。（３）
（付記４）  前記金属板は、半田の付着性が良好で且つ表面処理のないばね性の板金であることを特徴とする付記２に記載のアンテナ。（４）
（付記５）  前記金属板の材料は、洋白であることを特徴とする付記４に記載のアンテナ。（５）
（付記６）  立上り条を有する筐体と、周囲に導体部を有すると共に、少なくとも該周囲の一部が前記立上り条に隣接するように前記筐体に固定される機器ユニットと、アンテナとからなり、
該アンテナは、前記立上り条を跨ぐようにして前記筐体に支持される支持部と、該支持部より前記機器ユニットの周囲へ延びて該機器ユニットの周囲の少なくとも一部に接触するグランド接触ばね部と、該グランド接触ばね部から見て前記支持部の反対側へ該支持部から延びているアンテナエレメント部とからなり、前記支持部、グランド接触ばね部及びアンテナエレメント部が金属板で一体的に形成されていることを特徴とする、アンテナを用いた装置。
【００４２】
（付記７）  装置本体部と、ヒンジを介して該装置本体部に対して開閉可能な、表示部を有する蓋部と、アンテナとからなり、
前記蓋部は、立上り条を有する筐体と、周囲に導体部を有すると共に、該周囲の少なくとも一部が前記立上り条に隣接するように前記筐体に固定される表示部と、アンテナを具備し、
該アンテナは、前記立上り条を跨ぐようにして前記筐体に支持される支持部と、該支持部より前記機器ユニットの周囲へ延びて該機器ユニットの周囲の少なくとも一部に接触するグランド接触ばね部と、該グランド接触ばね部から見て前記支持部の反対側へ該支持部から延びているアンテナエレメント部とからなり、前記支持部、グランド接触ばね部及びアンテナエレメント部が金属板で一体的に形成されていることを特徴とする、アンテナを用いた装置。
【００４３】
（付記８）  前記支持部は、長手方向に所定寸法延びた前記立上り条を跨ぐことができるように、該長手方向に延びており、前記グランド接触ばね部は該支持部の長手方向に対して所定角度、前記表示部の導通側部へ傾斜しており、アンテナを立上り条に装着した時、該グランド接触ばね部は前記表示部の導通側部に弾性的に接触されることを特徴とする付記６又は７に記載のアンテナを用いた装置。
【００４４】
（付記９）  前記支持部は、長手方向に延びた前記立上り条の両端部において、該立上り条の前面、後面の一方の面から他方の面の側へＵ字形に湾曲した部分を有し、該アンテナを前記立上り条に搭載時に、該アンテナ支持部の長手方向の両端のＵ字形湾曲部が前記立上り条の長手方向の両端部にはめ込まれて固定される構造を有することを特徴とする付記６又は７に記載のアンテナを用いた装置。
【００４５】
（付記１０）  前記金属板は、半田付着性が良好で且つ表面処理のないばね性の板金であることを特徴とする付記６又は７に記載のアンテナを用いた装置。
【００４６】
（付記１１）  前記金属板の材料は、洋白であることを特徴とする付記１０に記載のアンテナを用いた装置。
【００４７】
（付記１２）  前記機器ユニット又は表示部は液晶表示ユニットであることを特徴とする付記６又は７に記載のアンテナを用いた装置。
【００４８】
（付記１３）  前記装置は、携帯型パーソナルコンピュータであることを特徴とする付記７に記載のアンテナを用いた装置。
【００４９】
（付記１４）  前記アンテナを搭載する蓋部筐体の立上り条は、前記機器ユニットである液晶表示ユニットのヒンジ側とは反対側の装置前面側に設けた立上り条であることを特徴とする付記７に記載のアンテナを用いた装置。
【００５０】
（付記１５）  前記アンテナを搭載する蓋部筐体の前記立上り条は、表示ユニットの前部側面に沿って同一直線上に間隔をおいて１対設けられ、これらの１対の立上り条に１対のアンテナがそれぞれ搭載されることを特徴とする付記７に記載のアンテナを用いた装置。
【図面の簡単な説明】
【００５１】
【図１】本発明のアンテナを用いた装置の一実施形態である形態型パーソナルコンピュータを閉じた状態で示す外観斜視図である。
【図２】図１の携帯型コンピュータを開いた状態で外観斜視図である。
【図３】（ａ）は図１で示す装置の蓋部のＡで示す部分を一部破断して示す斜視図であり、（ｂ）は（ａ）の線Ｃ−Ｃにおける断面図である。
【図４】（ａ）は図１で示す装置の蓋部のＢで示す部分を一部破断して示す斜視図であり、（ｂ）は（ａ）の線Ｄ−Ｄにおける断面図である。
【図５】（ａ）はアンテナグランド部の側から見た本発明のアンテナの斜視図、（ｂ）はグランド接触ばね（液晶表示ユニット）の側から見た本発明のアンテナの斜視図である。
【図６】本発明のアンテナを背面図で示し、かつ液晶表示ユニットも示す。
【図７】図６の矢印Ｅから見た本発明のアンテナを平面図、及び左右側面図である。
【図８】本発明のアンテナを正面図で示す。
【図９】本発明のアンテナの底面図である。
【図１０】図７の線Ｆ−Ｆにおける拡大断面図である。
【図１１】本発明の単一のアンテナを使用した場合の配線図である。
【図１２】本発明のアンテナを１対使用した場合の配線図である。
【符号の説明】
【００５２】
１    携帯型パーソナルコンピュータ（電子機器）
２    蓋部
３    ヒンジ
４    液晶表示ユニット
５（５１、５２）    バックカバー
６（６１、６２）    フロントカバー
７    アンテナ
８    アンテナフィード線
６ａ    立上り条
１０    中央支持部
１１ａ、１２ａ    Ｕ字形両端部
１４    グランド接触ばね部
２０（２１、２２、２３）    アンテナエレメント部
２５    フック部
【図１】
2008072750.tif 000003
【図２】
2008072750.tif 000004
【図３】
2008072750.tif 000005
【図４】
2008072750.tif 000006
【図５】
2008072750.tif 000007
【図６】
2008072750.tif 000008
【図７】
2008072750.tif 000009
【図８】
2008072750.tif 000010
【図９】
2008072750.tif 000011
【図１０】
2008072750.tif 000012
【図１１】
2008072750.tif 000013
【図１２】
2008072750.tif 000014